(57)【要約】【課題】　表示装置上の欠陥表示画素による影響を低減する。【解決手段】　画像データが画像１２の個々の画素１８を含み、画像１２のフレーム２８が画像１２の複数の行と複数の列との画素１８を含むバッファ２２と、第１のサブフレーム３０１と第２のサブフレーム３０２とが複数の画素をそれぞれ含み、第２のサブフレーム３０２の画像データが、第１のサブフレーム３０１の前記画像データから少なくとも１画素のオフセット距離だけオフセットされている画像処理ユニット２４と、第１の複数の表示画素によって第１のサブフレーム３０１を時間的に表示し、前記第１の複数の前記表示画素から前記オフセット距離だけオフセットされた第２の複数の前記表示画素によって第２のサブフレーム３０２を表示するように適合された表示装置２６とを含むシステムおよびこれを用いた画像表示方法を提供する。【選択図】　　　　図１
2004070362.tif 000002
【特許請求の範囲】
【請求項１】
　画像の個々の画素を含む、該画像のための画像データを受け取るステップと、
　該画像データをバッファし、前記画像の前記画素の複数の列と複数の行とを含む前記画像のフレームを作成するステップと、
　前記画像の前記フレームのための第１のサブフレームと少なくとも１つの第２のサブフレームとを定義するステップであって、該第２のサブフレームの画像データが、該第１のサブフレームの画像データから少なくとも１画素のオフセット距離だけオフセットされているものであるステップと、
　第１の複数の前記表示画素によって前記第１のサブフレームを表示し、前記第１の複数の前記表示画素から前記オフセット距離だけオフセットされた第２の複数の前記表示画素によって前記第２のサブフレームを表示するステップと
を含んでなる、複数の表示画素を含む表示装置によって画像を表示する方法。
【請求項２】
　前記第１のサブフレームを表示するステップが第１の表示画像部分を作成することを含み、前記第２のサブフレームを表示するステップが第２の表示画像部分を生成することを含む請求項１に記載の方法であって、
　前記第１の表示画像部分をある一定の表示位置に表示するステップと、
　前記第２の表示画像部分を前記ある一定の表示位置に表示するステップであって、前記第２の表示画像部分を前記オフセット距離だけずらすことを含むものであるステップと
をさらに含む請求項１に記載の方法。
【請求項３】
　前記表示装置の前記表示画素の少なくとも１つが欠陥表示画素であり、前記第１の複数の表示画素によって前記第１のサブフレームを表示し、前記第２の複数の表示画素によって前記第２のサブフレームを表示するステップが、前記欠陥表示画素の影響を前記画像全体にわたって拡散することを含む請求項１に記載の方法。
【請求項４】
　前記表示装置の前記表示画素のうちの少なくとも１つが欠陥表示画素であり、前記第１の複数の表示画素によって前記第１のサブフレームを表示し、前記第２の複数の表示画素によって前記第２のサブフレームを表示するステップが、前記第１のサブフレームの画素と前記第２のサブフレームの画素を前記欠陥表示画素によって表示し、前記欠陥表示画素の影響を前記画像全体にわたって拡散させることを含む請求項１に記載の方法。
【請求項５】
　前記第２のサブフレームの画像データが、前記第１のサブフレームの画像データからｎ画素だけオフセットされ、このｎが整数である請求項１に記載の方法。
【請求項６】
　前記第２のサブフレームの画像データが、前記第１のサブフレームの画像データからｎ画素だけオフセットされ、ｎが１より大きい非整数である請求項１に記載の方法。
【請求項７】
　前記表示装置の前記表示画素の少なくとも１つが欠陥表示画素であり、前記画像内の前記欠陥表示画素の位置に対応する前記第１のサブフレームと前記第２のサブフレームとの少なくとも一方の画像データを調整することをさらに含む、前記欠陥表示画素を補償するステップを含む請求項１に記載の方法。
【請求項８】
　前記第１のサブフレームを第１の位置に空間的に一時的に表示し、前記第２のサブフレームを前記第１の位置に対する第２の位置に空間的に一時的に表示するステップをさらに含む請求項１に記載の方法。
【請求項９】
　画像の画像データを受け取り、該画像データをバッファして、前記画像のフレームを作成するように適合されたバッファであって、該画像データが前記画像の個々の画素を含み、前記画像の前記フレームが前記画像の複数の行と複数の列とにある前記画素を含むものであるバッファと、
　前記画像の前記フレームのための１つの第１のサブフレームと少なくとも１つの第２のサブフレームとを定義するように適合された画像処理ユニットであって、該第１のサブフレームと該第２のサブフレームとが複数の画素をそれぞれ含み、該第２のサブフレームの画像データが、該第１のサブフレームの前記画像データから少なくとも１画素のオフセット距離だけオフセットされている画像処理ユニットと、
　複数の表示画素を含み、第１の複数の表示画素によって前記第１のサブフレームを時間的に表示し、前記第１の複数の前記表示画素から前記オフセット距離だけオフセットされた第２の複数の前記表示画素によって前記第２のサブフレームを表示するように適合された表示装置と
を含んでなる画像を表示するためのシステム。
【請求項１０】
　前記表示装置が、前記第１のサブフレームによって第１の表示画像部分を作成し、前記第２のサブフレームによって第２の表示画像部分を作成するように適合され、前記表示装置が、前記第１の表示画像部分をある一定の表示位置に表示し、前記第２の表示画像部分を前記オフセット距離だけずらして、前記第２の表示画像部分を前記ある一定の表示位置に表示するよう適合されたものである請求項９に記載のシステム。
【請求項１１】
　前記表示装置の前記表示画素の少なくとも１つが欠陥表示画素であり、前記表示装置が、前記欠陥表示画素の影響を前記画像全体にわたって拡散させるように適合されたものである請求項９に記載のシステム。
【請求項１２】
　前記表示装置の前記表示画素の少なくとも１つが欠陥表示画素であり、前記表示装置が、前記第１のサブフレームの画素と前記第２のサブフレームの画素とを前記欠陥表示画素によって表示し、前記欠陥表示画素の影響を前記画像全体にわたって拡散させるように適合されたものである請求項９に記載のシステム。
【請求項１３】
　前記第２のサブフレームの前記画像データが、前記第１のサブフレームの前記画像データからｎ画素だけオフセットされ、このｎが整数である請求項９に記載のシステム。
【請求項１４】
　前記第２のサブフレームの前記画像データが、前記第１のサブフレームの前記画像データからｎ画素だけオフセットされ、このｎが１より大きい非整数である請求項９に記載のシステム。
【請求項１５】
　前記表示装置の前記表示画素の少なくとも１つが欠陥表示画素であり、前記画像処理ユニットが、前記画像内の前記欠陥表示画素の位置に対応する前記第１のサブフレームと前記第２のサブフレームとの少なくとも一方の画像データを調整して、前記欠陥表示画素を補償するように適合されたものである請求項９に記載のシステム。
【請求項１６】
　前記表示装置が、前記第１のサブフレームを第１の位置に時間的に表示し、前記第１の位置から空間的にオフセットされた第２の位置に時間的に前記第２のサブフレームを表示するように適合されたものである請求項９に記載のシステム。
【請求項１７】
　画像の個々の画素を含む、該画像の画像データを受け取るステップと、
　前記画像の前記画素にある複数の列と複数の行とをそれぞれ含む、前記画像の第１のフレームと第２のフレームとを作成するステップと、
　第１の複数の前記表示画素によって前記第１のフレームを表示し、前記第１の複数の前記表示画素から少なくとも１画素だけオフセットされた第２の複数の表示画素によって前記第２のフレームを表示するステップと
を含んでなる、複数の表示画素を含む表示装置によって画素を表示する方法。
【請求項１８】
　画像データから複数のフレームを作成するステップと、
　該複数のフレームのそれぞれを表示装置上に位置決めするステップであって、該複数のフレームのそれぞれを互いに少なくとも１画素だけ、少なくとも１方向にオフセットすることを含むステップと、
　前記複数のフレームのそれぞれを前記表示装置によって表示するステップであって、前記複数のフレームを互いに位置合わせして前記画像データを表示することを含むステップと
を含んでなる、画素の配列を有する表示装置によって画像データを表示する方法。
【請求項１９】
　第２の画素配列を有する光変調器と、
　画像の各画素が該第２の画素配列のうちの複数の画素によって構成されるように、前記第１の画素配列を時間的に空間的に調整するように適合された画像シフタと
を含んでなる、第１の画素配列を有する画像を表示するための表示装置。
【発明の詳細な説明】
【技術分野】
【０００１】
　本発明は、一般に、画像化システムに関し、より詳細には、画像を表示するシステムおよび方法に関する。
【背景技術】
【０００２】
関連出願の相互参照
　本出願は、２００２年８月７日に出願され、本発明の譲受人に譲渡され、引用することにより本明細書の一部をなすものとする同時係属米国特許出願第１０／２１３，５５５号の一部継続出願である。本出願は、２００２年９月１１日に出願され、本発明の譲受人に譲渡された米国特許出願出願第１０／２４２，５４５号に関連する。
【発明の開示】
【発明が解決しようとする課題】
【０００３】
　表示装置やプロジェタやその他の画像化システムなどの画像を表示するための従来のシステムまたは装置は、横の行と縦の列とに配置された個々の画素またはピクセルの配列をアドレス指定することによって表示画像を作成する。残念ながら、表示装置の画素の１つ以上が不良である場合には、表示画像はその不良を再現してしまう。例えば、表示装置の１つの画素が「オン」状態だけを表す場合、この画素は、表示画像内にこの全部白の正方形を作成する。さらに、表示装置の画素が「オフ」状態だけを表す場合、この画素は、表示画像内に中実の黒の正方形を作成する。このように、表示装置の不良画素の影響は、表示画像内に容易に見ることができる。
【課題を解決するための手段】
【０００４】
　本発明の１つの態様は、画像を複数の表示画素を含む表示装置によって表示する方法を提供する。この方法は、画像の個々の画素を含む、画像の画像データを受け取るステップと、画像データをバッファし、画像の画素の複数の列と複数の行とを含む画像のフレームを作成するステップと、画像のフレームのための１つの第１のサブフレームと少なくとも１つの第２のサブフレームとを定義するステップを含み、第２のサブフレームの画像データが、第１のサブフレームの画像データから少なくとも１画素のオフセット距離だけオフセットされており、第１のサブフレームを第１の複数の表示画素によって表示し、第１の複数の表示画素からオフセット距離だけオフセットされた第２の複数の表示画素によって第２のサブフレームを表示するステップとを含む。
【発明を実施するための最良の形態】
【０００５】
　好ましい実施形態の以下の詳細な説明において、実施形態の一部分を構成し、本発明を実施することができる例示的な特定の実施形態によって示された添付図面を参照する。他の実施形態を利用することができ、または本発明の範囲を逸脱することなく構造的または論理的変更を行うことができることを理解されたい。したがって、以下の詳細な説明は、限定の意味で解釈されるべきでなく、本発明の範囲は、特許請求の範囲によって定義される。
【０００６】
　図１は、画像表示システム１０の１つの実施形態を示す。画像表示システム１０は、表示画像１４を作成する画像１２の処理を容易にする。画像１２は、任意の絵画や図形や文字、記号、イラスト、および／または、他の情報表現を含むように定義される。画像１２は、例えば、画像データ１６によって表現される。画像データ１６は、画像１２の個々の画素またはピクセルを含む。画像表示システム１０が１つの画像を処理するように示し説明しているが、画像表示システム１０が、複数または一連の画像を処理し表示することができることを理解されたい。
【０００７】
　１つの実施形態において、画像表示システム１０は、フレーム・レート変換ユニット２０および画像フレーム・バッファ２２と、画像処理ユニット２４と、表示装置２６とを含む。後で説明するように、フレーム・レート変換ユニット２０と画像フレーム・バッファ２２とは、画像１２の画像フレーム２８を作成するために、画像１２の画像データ１６を受け取りバッファする。さらに、画像処理ユニット２４は、画像フレーム２８を処理して、画像フレーム２８の１つ以上の画像サブフレーム３０を定義し、表示装置２６は、画像サブフレーム３０を時間的に空間的に表示して表示画像１４を作成する。
【０００８】
　フレーム・レート変換ユニット２０および／または画像処理装置２４を含む画像表示システム１０は、ハードウェア、ソフトウェア、ファームウェア、またはこれらの組合せを含む。１つの実施形態において、フレーム・レート変換ユニット２０とおよび／または画像処理ユニット２４を含む画像表示システム１０の１つ以上の構成要素は、一連の論理演算を実行することができるコンピュータ、コンピュータ・サーバ、または他のマイクロプロセッサ・ベース・システムに含まれている。さらに、個別の部分が別々のシステム構成要素内に実装される状態で、システム全体に処理を分散させることができる。
【０００９】
　画像データ１６は、デジタル画像データ１６１またはアナログ画像データ１６２を含むことができる。アナログ画像データ１６２を処理するために、画像表示システム１０は、アナログ・デジタル（以下、「Ａ／Ｄ」とよぶ）変換器３２を含む。したがって、Ａ／Ｄ変換器３２は、次の処理のためにアナログ画像データ１６２をデジタル形式に変換する。このように、画像表示システム１０は、画像１２のためのデジタル画像データ１６１および／またはアナログ画像データ１６２を受け取り処理することができる。
【００１０】
　フレーム・レート変換ユニット２０は、画像１２の画像データ１６を受け取り、その画像データ１６を画像フレーム・バッファ２２にバッファまたは記憶する。より具体的には、フレーム・レート変換ユニット２０は、画像１２の個別のラインまたはフィールドを表す画像データ１６を受け取り、画像データ１６を画像フレーム・バッファ２２にバッファして、画像１２の画像フレーム２８を作成する。画像フレーム・バッファ２２は、画像フレーム２８のすべての画像データを受け取り記憶することによって画像データ１６をバッファし、フレーム・レート変換ユニット２０は、画像フレーム・バッファ２２から画像フレーム２８のすべての画像データを取り出しまたは抽出することによって画像フレーム２８を作成する。したがって、画像フレーム２８は、画像１２の全体を表す画像データ１６の複数の個別のラインまたはフィールドを含むように定義される。したがって、画像フレーム２８は、画像１２を表す個々の画素の複数の列と複数の行とを含む。
【００１１】
　フレーム・レート変換ユニット２０と画像フレーム・バッファ２２とは、プログレッシブ画像データおよび／またはインタレース画像データとして画像データ１６を受け取り処理することができる。プログレッシブ画像データの場合には、フレーム・レート変換ユニット２０と画像フレーム・バッファ２２とは、画像１２の画像データ１６の連続したフィールドを受け取り記憶する。したがって、フレーム・レート変換ユニット２０は、画像１２の画像データ１６の連続したフィールドを取り出すことによって画像フレーム２８を作成する。インタレース画像データの場合には、フレーム・レート変換ユニット２０と画像フレーム・バッファ２２とは、画像１２の画像データ１６の奇数フィールドと偶数フィールドとを受け取り記憶する。例えば、画像データ１６のすべての奇数フィールドが受け取られて記憶され、画像データ１６のすべての偶数フィールドが受け取られて記憶される。したがって、フレーム・レート変換ユニット２０は、画像データ１６をデインターレース（de-interlace）し、画像１２の画像データ１６の奇数フィールドと偶数フィールドとを取り出すことによって画像フレーム２８を作成する。
【００１２】
　画像フレーム・バッファ２２は、それぞれの画像１２の１つ以上の画像フレーム２８の画像データ１６を記憶するメモリを含む。したがって、画像フレーム・バッファ２２は、１つ以上の画像フレーム２８のデータベースを構成する。画像フレーム・バッファ２２の例には、（例えば、ハード・ディスク・ドライブや他の持続性記憶装置などの）不揮発性メモリや、（例えば、ランダム・アクセス・メモリ（以下、「ＲＡＭ」とよぶ）などの）揮発性メモリがある。
【００１３】
　フレーム・レート変換ユニット２０により画像データ１６を受け取り、画像データ１６を画像フレーム・バッファ２２にバッファすることによって、表示装置２６のタイミング要件と画像データ１６の入力タイミングとを切り離すことができる。より具体的には、画像フレーム・バッファ２２が、画像フレーム２８の画像データ１６を受け取り記憶するので、任意のフレーム・レートの入力として画像データ１６を受け取ることができる。したがって、画像フレーム２８のフレーム・レートを、表示装置２６のタイミング要件に変換することができる。したがって、表示装置２６のフレーム・レートで、画像フレーム２８の画像データ１６を画像フレーム・バッファ２２から取り出すことができる。
【００１４】
　１つの実施形態において、画像処理ユニット２４は、解像度調整ユニット３４とサブフレーム生成ユニット３６とを含む。後で説明するように、解像度調整ユニット３４は、画像フレーム２８の画像データ１６を受け取り、表示装置２６に表示する画像データ１６の解像度を調整し、サブフレーム生成ユニット３６は、画像フレーム２８の複数の画像サブフレーム３０を生成する。より具体的には、画像処理ユニット２４は、画像フレーム２８の画像データ１６をオリジナルの解像度で受け取り、表示装置２６の解像度と一致するように画像データ１６を処理する。例えば、画像処理ユニット２４は、表示装置２６の解像度と一致するように画像データ１６の解像度を高くし、低くし、および／または、変更しないようにする。したがって、画像データ１６の解像度を表示装置２６の解像度に一致させることによって、表示装置２６は、画像データ１６を表示することができる。したがって、画像処理ユニット２４によって、画像表示システム１０は、様々な解像度の表示画像データ１６を受け取り表示することができる。
【００１５】
　１つの実施形態において、画像処理ユニット２４は、画像データ１６の解像度を高める。例えば、画像データ１６は、解像度が表示装置２６よりも低い。より具体的には、画像データ１６は、４００画素×３００画素などの低い解像度データを含むことがあり、表示装置２６は、８００画素×６００画素などの高い解像度データに対応することができる。したがって、画像処理ユニット２４は、画像データ１６を処理して、画像データ１６の解像度を表示装置２６の解像度まで高める。画像処理ユニット２４は、例えば画素の複製、補間、および／または、他の解像度合成または生成技術によって、画像データ１６の解像度を高めることができる。
【００１６】
　１つの実施形態において、画像処理ユニット２４は、画像データ１６の解像度を下げる。例えば、画像データ１６は、表示装置２６の解像度よりも高い解像度である。より具体的には、画像データ１６は、１６００画素×１２００画素などの高い解像度のデータを含むことがあり、表示装置２６は、８００画素×６００画素などの低い解像度データに対応することができる。したがって、画像処理ユニット２４は、画像データ１６を処理して、画像データ１６の解像度を表示装置２６の解像度まで下げる。画像処理ユニット２４は、例えば二段抽出、補間、および／または、他の解像度低減技術によって、画像データ１６の解像度を下げることができる。
【００１７】
　サブフレーム生成ユニット３６は、画像フレーム２８の画像データ１６を受け取り処理して、画像フレーム２８の複数の画像サブフレーム３０を定義する。解像度調整ユニット３４が、画像データ１６の解像度を調整した場合には、サブフレーム生成ユニット３６は、調整した解像度の画像データ１６を受け取る。画像データ１６の調整した解像度は、画像フレーム２８の画像データ１６の元の解像度より高くても、低くても、同じでもよい。サブフレーム生成ユニット３６は、表示装置２６の解像度と一致する解像度を有する画像サブフレーム３０を生成する。画像サブフレーム３０は、画像フレーム２８とそれぞれ等しい面積であり、それぞれ画像１２の画像データ１６のサブセットを表す個々の画素の複数の列と複数の行とを含み、表示装置２６の解像度と一致する解像度を有する。
【００１８】
　各画像サブフレーム３０は、画像フレーム２８の画素のマトリクスまたは配列を含む。画像サブフレーム３０は、各画像サブフレーム３０が異なる画素および／または画素部分を含むように互いに空間的にオフセットされている。したがって、後で説明するように、画像サブフレーム３０は、ある垂直距離および／または水平距離だけ互いにオフセットされている。
【００１９】
　表示装置２６は、画像処理ユニット２４から画像サブフレーム３０を受け取り、画像サブフレーム３０を連続的に表示して表示画像１４を作成する。より具体的には、画像サブフレーム３０が空間的に互いにオフセットされているので、画像表示装置２６は、後で示すように、画像サブフレーム３０の空間的オフセットによる様々な位置に画像サブフレーム３０を表示する。したがって、表示装置２６は、画像フレーム２８の画像サブフレーム３０の表示を交互に行って、表示画像１４を作成する。このように、表示装置２６は、画像フレーム２８の全体のサブフレーム３０を一度に表示する。
【００２０】
　１つの実施形態において、表示装置２６は、画像フレーム２８の画像サブフレーム３０を表示する１サイクルを完了する。したがって、表示装置２６は、画像サブフレーム３０を、空間的かつ時間的に互いにオフセットされるように表示する。１つの実施形態において、表示装置２６は、任意に画像サブフレーム３０を光学的に操作して表示画像１４を作成する。こうして、表示装置２６の個々の画素は、複数の位置にアドレス指定される。
【００２１】
　１つの実施形態において、表示装置２６は画像シフタ３８を含む。画像シフタ３８は、表示装置２６によって表示されるように画像サブフレーム３０の位置を空間的に変化させまたはオフセットする。より具体的には、画像シフタ３８は、後で説明するように画像サブフレーム３０の表示位置を変化させて、表示画像１４を作成する。
【００２２】
　１つの実施形態において、表示装置２６は、入射光を変調する光変調器を含む。光変調器は、例えば、マイクロミラー装置のアレイを構成するように配列された複数のマイクロミラー装置を含む。それぞれのマイクロミラー装置自体は、表示装置２６の１つのセルまたは画素を構成する。表示装置２６は、表示装置、投影装置、または他の画像化システムの一部分を構成することができる。
【００２３】
　１つの実施形態において、画像表示システム１０は、タイミング発生器４０を含む。タイミング発生器４０は、例えば、フレーム・レート変換ユニット２０と、解像度調整ユニット３４およびサブフレーム生成ユニット３６を含む画像処理ユニット２４と、画像シフタ３８を含む表示装置２６とに通信する。したがって、タイミング発生器４０は、画像フレーム２８を作成する画像データ１６のバッファおよび変換と、画像データ１６の解像度を表示装置２６の解像度に合わせて画像サブフレーム３０を作成する画像フレーム２８の処理と、表示画像１４を作成する画像サブフレーム３０の表示および位置決めとを同期させる。したがって、タイミング発生器４０は、画像１２のサブフレーム全体が、表示装置２６によって表示画像１４として時間的に空間的に表示されるように、表示画像システム１０のタイミングを制御する。
【００２４】
解像度の向上
　１つの実施形態において、図２Ａおよび図２Ｂに示すように、画像処理ユニット２４は、画像フレーム２８の複数の画像サブフレーム３０を定義する。より具体的には、画像処理ユニット２４は、画像フレーム２８の第１のサブフレーム３０１と第２のサブフレーム３０２とを定義する。したがって、第１のサブフレーム３０１と第２のサブフレーム３０２とのそれぞれは、画像データ１６の個々の画素１８の複数の列と複数の行とを含む。したがって、第１のサブフレーム３０１と第２のサブフレーム３０２とのそれぞれは、画像データ１６のサブセットの画像データ・アレイまたは画素マトリクスを構成する。
【００２５】
　１つの実施形態において、図２Ｂに示すように、第２のサブフレーム３０２は、第１のサブフレーム３０１から垂直距離５０と水平距離５２だけずらされている。したがって、第２のサブフレーム３０２は、第１のサブフレーム３０１から所定の距離だけ空間的にずらされている。１つの実例となる実施形態においては、垂直距離５０と水平距離５２とのそれぞれは、１画素の約半分である。
【００２６】
　図２Ｃに示すように、表示装置２６は、第１のサブフレーム３０１にある第１の位置の表示と、第１の位置から空間的にオフセットされた第２の位置にある第２のサブフレーム３０２の表示とを交互にする。より具体的には、表示装置２６は、第１のサブフレーム３０１の表示に対して、第２のサブフレーム３０２の表示を垂直距離５０と水平距離５２だけずらす。したがって、第１のサブフレーム３０１の画素は、第２のサブフレーム３０２の画素と重なっている。１つの実施形態において、表示装置２６は、画像フレーム２８の第１のサブフレーム３０１を第１の位置に表示し、第２のサブフレーム３０２を第２の位置に表示する１つのサイクルを完了する。このようにして、第２のサブフレーム３０２が、第１のサブフレーム３０１に対して空間的に時間的に表示される。
【００２７】
　図３Ａ〜図３Ｃは、第１のサブフレーム３０１からの画素１８１を第１の位置に表示し、第２のサブフレーム３０２からの画素１８２を第２の位置の表示する１つのサイクルを完了する１つの実施形態を示す。より具体的には、図３Ａは、第１の位置に表示された第１のサブフレーム３０１からの画素１８１を示す、図３Ｂは、（第１の位置が点線で示された）第２の位置に表示された第２のサブフレーム３０２からの画素１８２を示し、図３Ｃは、（第２の位置が点線で示された）第１の位置に表示された第１のサブフレーム３０１からの画素１８１を示す。
【００２８】
　図４および図５は、画像表示システム１０による画像処理を行った場合と行わない場合とのそれぞれについて、同じ画像データから作成された拡大画像部分を示す。より具体的には、図４は、画像表示システム１０による処理なしに作成された拡大画像部分６０を示す。図４に示すように、拡大画像部分６０は、個々の画素が容易に目に見える状態で分解されているように見える。さらに、拡大画像部分６０は、低い解像度のものである。
【００２９】
　一方、図５は、画像表示システム１０による処理によって作成された拡大画像部分６２を示す。図５に示したように、拡大画像部分６２は、図４の拡大画像部分６０と同じように画素に分解されていないように見える。したがって、拡大画像部分６２の画像品質は、画像表示システム１０によって高められている。より具体的には、拡大画像部分６２の解像度は、拡大画像部分６０よりも改善され、すなわち高められている。
【００３０】
　１つの実例となる実施形態において、拡大画像部分６２は、前述のように、第１のサブフレームと第２のサブフレームとを含む２位置処理（ｔｗｏ−ｐｏｓｉｔｉｏｎ　ｐｒｏｃｅｓｓｉｎｇ）によって作成される。したがって、拡大画像部分６２を作成するには、拡大画像部分６０を作成するために使用される画素データの量の２倍の量の画素データが使用される。したがって、２位置処理の場合には、拡大画像部分６２の解像度は、約１．４倍すなわち２の平方根だけ拡大画像部分６０の解像度よりも高められる。
【００３１】
　もう１つの実施形態において、図６Ａ〜図６Ｄに示すように、画像処理ユニット２４が、画像フレーム２８の複数の画像サブフレーム３０を定義する。より具体的には、画像処理ユニット２４は、画像フレーム２８の第１のサブフレーム３０１と、第２のサブフレーム３０２と、第３のサブフレーム３０３と、第４のサブフレーム３０４とを定義する。したがって、第１のサブフレーム３０１と、第２のサブフレーム３０２と、第３のサブフレーム３０３と、第４のサブフレーム３０４とのそれぞれは、画像データ１６の個々の画素１８の複数の列と複数の行とを含む。
【００３２】
　１つの実施形態において、図６Ｂ〜図６Ｄに示したように、第２のサブフレーム３０２は、垂直距離５０および水平距離５２だけ第１のサブフレーム３０１からオフセットされ、第３のサブフレーム３０３は、水平距離５４だけ第１のサブフレーム３０１からオフセットされ、第４のサブフレーム３０４は、垂直距離５６だけ第１のサブフレーム３０１からオフセットされている。したがって、第２のサブフレーム３０２と、第３のサブフレーム３０３と、第４のサブフレーム３０４とのそれぞれは、互いに空間的にオフセットされ、第１のサブフレーム３０１から所定の距離だけ空間的にオフセットされている。１つの実例となる実施形態において、垂直距離５０と水平距離５２と水平距離５４と垂直距離５６とのそれぞれは、１画素の約半分である。
【００３３】
　図６Ｅに概略的に示すように、表示装置２６は、第１のサブフレーム３０１を第１の位置Ｐ1に表示することと、第２のサブフレーム３０２を第１の位置から空間的にオフセットされた第２の位置Ｐ2に表示することと、第３のサブフレーム３０３を第１の位置から空間的にオフセットされた第３の位置Ｐ3に表示することと、第４のサブフレーム３０４を第１の位置から空間的にオフセットされた第４の位置Ｐ4に表示することとを交互に行う。より具体的には、表示装置２６は、第２のサブフレーム３０２の表示と、第３のサブフレーム３０３の表示と、第４のサブフレーム３０４の表示とを、第１のサブフレーム３０１に対してそれぞれ所定の距離だけずらす。したがって、第１のサブフレーム３０１と、第２のサブフレーム３０２と、第３のサブフレーム３０３と、第４のサブフレーム３０４との画素は互いに重なる。
【００３４】
　１つの実施形態において、表示装置２６は、画像フレーム２８の第１のサブフレーム３０１を第１の位置に表示し、第２のサブフレーム３０２を第２の位置に表示し、第３のサブフレーム３０３を第３の位置に表示し、第４のサブフレーム３０４を第４の位置に表示する１つのサイクルを完了する。このようにして、第２のサブフレーム３０２と、第３のサブフレーム３０３と、第４のサブフレーム３０４とが、第１のサブフレーム３０１に対して空間的に時間的に互いに表示される。
【００３５】
　図７Ａ〜図７Ｅは、第１のサブフレーム３０１からの画素１８１を第１の位置に表示し、第２のサブフレーム３０２からの画素１８２を第２の位置に表示し、第３サブフレーム３０３からの画素１８３を第３の位置に表示し、第４のサブフレーム３０４からの画素１８４を第４の位置に表示する１つのサイクルを完了する１つの実施形態を示す。より具体的には、図７Ａは、第１の位置に表示された第１のサブフレーム３０１からの画素１８１を示し、図７Ｂは、（第１の位置が点線で示されている）第２の位置に表示された第２のサブフレーム３０２からの画素１８２を示し、図７Ｃは、（第１の位置と第２の位置とが点線で示された）第３の位置に表示された第３のサブフレーム３０３からの画素１８３を示し、図７Ｄは、（第１の位置と第２の位置と第３の位置とが点線で示された）第４の位置に表示された第４のサブフレーム３０４からの画素１８４を示し、図７Ｅは、第１の位置（第２の位置と第３の位置と第４の位置とが点線で示された）に表示された第１のサブフレーム３０１からの画素１８１を示す。
【００３６】
　図８および図９は、画像表示システム１０による画像処理を行う場合と行わない場合とのそれぞれについて、同じ画像データから作成した拡大画像部分を示す。より具体的には、図８は、画像表示システム１０による処理なしに作成された拡大画像部分６４を示す。図８に示すように、拡大画像部分６４の領域は、例えば、拡大画像部分６４の文字を形成しおよび／または輪郭を描く画素を含む個々の画素が容易に目に見える状態で分解されているように見える。
【００３７】
　しかしながら、図９は、画像表示システム１０による処理によって作成された拡大画像部分６６を示す。図９に示したように、拡大画像部分６６は、図８の拡大画像部分６４よりも画素に分解されていないように見える。このように、拡大画像部分６６の画像品質は、画像表示システム１０によって高められている。より具体的には、拡大画像部分６６の解像度は、拡大画像部分６４よりも改善されておりすなわち高められている。
【００３８】
　１つの実例となる実施形態において、前述のように、拡大画像部分６６は、第１のサブフレームと第２のサブフレームと第３のサブフレームと第４のサブフレームとを含む４位置処理（ｆｏｕｒ−ｐｏｓｉｔｉｏｎ　ｐｒｏｃｅｓｓｉｎｇ）によって作成される。したがって、拡大画像部分６６を作成するためには、拡大画像部分６４を作成するのに使用される画素データの量の４倍の量の画素データが使用される。したがって、４位置処理によって、拡大画像部分６４の解像度は、拡大画像部分６４の解像度の２倍すなわち４の平方根だけ高められる。したがって、４位置処理によって、（ｘとｙとの）各軸方向の画素数を２倍にすると画素数が４倍になるので、表示装置２６の２倍の解像度で画像データ１６を表示することができる。
【００３９】
　画像フレーム２８の複数の画像サブフレーム３０を定義し、画像サブフレーム３０を互いに空間的に時間的に表示させることによって、画像表示システム１０は、表示装置２６よりも高い解像度で表示画像１４を作成することができる。１つの実例となる実施形態において、例えば、画像データ１６が８００画素×６００画素の解像度を有し、表示装置２６が８００画素×６００画素の解像度を有する場合には、画像データ１６の解像度を調整する画像表示システム１０の４位置処理によって、１６００画素×１２００画素の解像度の表示画像１４が作成される。したがって、画像データの解像度が低くて表示装置の解像度が低い場合には、画像表示システム１０は、それよりも高い解像度の表示画像を作成することができる。もう１つの実例となる実施形態において、例えば、画像データ１６が１６００画素×１２００画素の解像度を有し、表示装置２６が８００画素×６００画素の解像度を有する場合には、画像データ１６の解像度を調整しない画像表示システム１０による４位置処理によって、１６００画素×１２００画素の解像度の表示画像１４が作成される。したがって、高い解像度の画像データと低い解像度の表示装置の場合には、画像表示システム１０は、それよりも高い解像度の表示画像を作成することができる。さらに、画像サブフレーム３０を互いに空間的に時間的に表示させながら画像サブフレーム３０の画素を重ねることによって、画像表示システム１０は、例えば、光変調器の隣り合ったマイクロミラー装置間の隙間によって起こる「網戸（ｓｃｒｅｅｎ−ｄｏｏｒ）」効果を減少させることができる。
【００４０】
　画像表示システム１０は、画像データ１６をバッファして、画像フレーム２８を作成し、画像データ１６のタイミングを表示装置２６のフレーム・レートと切り離し、画像フレーム２８のサブフレーム３０全体を１度に表示することによって、画像全体に渡って解像度が改善された表示画像１４を作成することができる。さらに、画像データの解像度が、表示装置２６の解像度と等しいかまたはそれよりも高い場合には、画像表示システム１０は、表示装置２６の解像度よりも高い解像度の表示画像１４を作成することができる。表示装置２６よりも高い解像度の表示画像１４を作成するために、より高い解像度のデータを、元の画像データとして画像表示システム１０に供給することができ、元の画像データから画像表示システム１０が合成することができる。代替として、低い解像度のデータを画像表示システム１０に供給し、そのデータを使用して表示装置２６の解像度よりも高い解像度の表示画像１４を作成することができる。低い解像度のデータを使用することにより、画像を低いデータ転送速度で送ることができ、データを高い解像度で表示することができる。したがって、低いデータ転送速度を使用することによって、より低速のデータ・インタフェースが使用可能になり、ＥＭＩ放射（電磁妨害雑音放射）を少なくできる可能性がある。
【００４１】
エラー隠蔽（Ｅｒｒｏｒ　Ｈｉｄｉｎｇ）
　１つの実施形態において、図１０に示すように、表示装置２６は、表示画素７０の複数の列と複数の行とを含む。表示画素７０は、画像フレーム２８の画像サブフレーム３０を表示して表示画像１４を作成する光を変調する。各表示画素７０は、３つの色要素をすべて、すなわち赤、緑、青を含みうる。その場合には、表示装置２６の各表示画素７０は、全範囲の表示色を作成することができる。
【００４２】
　１つの実例となる実施形態において、表示装置２６は、配列６×６の表示画素７０を含む。表示画素７０は、例えば、行（Ａ〜Ｆ）と列（１〜６）とによって示される。表示装置２６は、配列６×６の表示画素を含むように示されているが、表示装置２６内の表示画素７０の実際の数は変化してもよいことを理解されたい。
【００４３】
　１つの実施形態において、表示装置２６の１つ以上の表示画素７０が不良のことがある。１つの実施形態において、位置Ｃ３の表示画素７０が欠陥表示画素７２である。欠陥表示画素は、「オン」または「オフ」の状態だけを示す表示画素や、意図された輝度よりも弱い輝度または強い輝度を生成する表示画素や、一貫性がないかまたは不規則な動作の表示画素等の表示装置２６の異常または無効な表示画素を含むように定義される。
【００４４】
　１つの実施形態において、画像表示システム１０は、表示装置２６の欠陥表示画素の影響を拡散させる。後で説明するように、画像表示システム１０は、表示画像１４の表示装置２６の欠陥表示画素によって生成される領域を分離または分散することによって、欠陥表示画素の影響を拡散させる。
【００４５】
　図１１は、画像１２の画像フレーム２８の１つの実施形態を示す。前述のように、画像１２の画像データ１６がバッファされ、画像フレーム２８が画像データ１６の個々の画素１８の複数の列と複数の行とを含むように作成される。１つの実例となる実施形態において、画像フレーム２８は、画素１８の４×４の配列を含む。画像データ１６の画素１８は、例えば、ローマ数字Ｉ−ＸＶＩによって示される。
【００４６】
　１つの実施形態において、図１２Ａ〜図１２Ｄに示すように、画像処理ユニット２４は、画像フレーム２８の複数の画像サブフレーム３０’（図１）を定義する。より具体的には、画像処理ユニット２４は、画像フレーム２８の第１の画像サブフレーム３０１’と、第２の画像サブフレーム３０２’と、第３の画像サブフレーム３０３’と、第４の画像サブフレーム３０４’とを定義する。第１の画像サブフレーム３０１’と、第２の画像サブフレーム３０２’と、第３の画像サブフレーム３０３’と、第４の画像サブフレーム３０４’とのそれぞれは、画像フレーム２８の画像データ１６を含み、１つの実施形態では、それぞれの面積は表示装置２６の面積と等しい。したがって、後で説明するように、各画像サブフレーム３０’の左上が、表示装置２６（図１０）の表示画素Ａ１に索引付けされるかまたはマップされる。
【００４７】
　１つの実施形態において、画像データ１６は、表示装置２６の面積よりも小さい面積のものである。したがって、後で説明するように、表示装置２６の表示画素７０間で画像データ１６をシフトして、欠陥表示画素の影響を拡散させることができる。したがって、画像データ１６の外にある表示画素７０は、ブランク表示画素７４として示される（図１３Ａ）。
【００４８】
　１つの実施形態において、画像処理ユニット２４は、サイズが表示装置２６よりも小さくなるように画像データ１６を縮小する。１つの実施形態において、表示装置２６は、画像データ１６の標準サイズよりも大きいサイズである。例えば、１つの実例となる実施形態において、表示装置２６は、６００画素×８００画素の標準サイズの画像データ１６に対応できるように、６０２画素×８０２画素のサイズを有する。
【００４９】
　１つの実施形態において、図１２Ｂ〜図１２Ｄに示したように、第２の画像サブフレーム３０２’の画像データ１６は、第１の画像サブフレーム３０１’の画像データ１６から水平距離５２だけオフセットされ、第３の画像サブフレーム３０３’の画像データ１６は、第２の画像サブフレーム３０２’の画像データ１６から垂直距離５０だけオフセットされ、第４の画像サブフレーム３０４’の画像データ１６は、第３の画像サブフレーム３０３’の画像データ１６から水平距離５４だけオフセットされている。したがって、第１の画像サブフレーム３０１’の画像データ１６と、第２の画像サブフレーム３０２’の画像データ１６と、第３の画像サブフレーム３０３’の画像データ１６と、第４の画像サブフレーム３０４’の画像データ１６とは、所定の距離だけ互いに空間的にオフセットされている。１つの実施形態において、所定の距離はｎ個の画素を含み、ここでｎは整数である。１つの実例となる実施形態において、図１２Ｂ〜図１２Ｄに示すように、水平距離５２と垂直距離５０と水平距離５４とのそれぞれは１画素である。
【００５０】
　１つの実施形態において、図１３Ａ〜図１３Ｄに示したように、表示装置２６は、画像フレーム２８の第１の画像サブフレーム３０１’と、第２の画像サブフレーム３０２’と、第３の画像サブフレーム３０３’と、第４の画像サブフレーム３０４’とを交互に表示する。１つの実施形態において、第１の画像サブフレーム３０１’と、第２の画像サブフレーム３０２’と、第３の画像サブフレーム３０３’と、第４の画像サブフレーム３０４’とのそれぞれは、各画像サブフレーム３０’の左上が表示装置２６の表示画素Ａ１にマップされるように、表示装置２６によって表示される。しかしながら、画像データ１６が、第２の画像サブフレーム３０２’と第３の画像サブフレーム３０３’と第４の画像サブフレーム３０４’とのそれぞれについて、第１の画像サブフレーム３０１’に対してオフセットされている場合には、表示装置２６の異なる表示画素７０が、第１の画像サブフレーム３０１’と、第２の画像サブフレーム３０２’と、第３の画像サブフレーム３０３’と、第４の画像サブフレーム３０４’とに対する画像データ１６を表示する。
【００５１】
　例えば、図１３Ａに示したように、表示画像部分１４１として、表示画素Ｂ２〜Ｅ５が、第１の画像サブフレーム３０１’の表示画像データ１６を表示する。しかしながら、位置Ｃ３の表示画素７０が欠陥表示画素であるため、画像フレーム２８の第１の画像サブフレーム３０１’に表示されたときの画像データ１６の画素ＶＩが不良である。
【００５２】
　図１３Ｂに示したように、表示画像部分１４２として、表示画素Ｂ１〜Ｅ４が、第２の画像サブフレーム３０２’の画像データ１６を表示する。しかしながら、位置Ｃ３の表示画素７０が欠陥表示画素であるため、画像フレーム２８の第２の画像サブフレーム３０２’に表示されたときの画像データ１６の画素ＶＩＩが不良である。
【００５３】
　図１３Ｃに示したように、表示画像部分１４３として、表示画素Ａ１〜Ｄ４が、第３の画像サブフレーム３０３’の画像データ１６を表示する。しかしながら、位置Ｃ３の表示画素７０が欠陥表示画素であるため、画像フレーム２８の第３の画像サブフレーム３０３’に表示されたときの画像データ１６の画素ＸＩが不良である。
【００５４】
　図１３Ｄに示したように、表示画像部分１４４として、表示画素Ａ２〜Ｄ５が、第４の画像サブフレーム３０４’の画像データ１６を表示する。しかしながら、位置Ｃ３の表示画素７０が欠陥表示画素なので、画像フレーム２８の第４の画像サブフレーム３０４’に表示されたときの画像データ１６の画素Ｘが不良である。
【００５５】
　１つの実施形態において、図１４Ａ〜図１４Ｄに示したように、表示装置２６は、表示画像部分１４１と１４２と１４３と１４４とを同じ表示位置に表示する。より具体的には、表示装置２６は、表示位置ａｉ〜ｄｉｖの表示画像部分１４１の表示と一致するように、表示画像部分１４２と１４３と１４４との表示をシフトする。したがって、表示装置２６は、表示画像部分１４１と１４２と１４３と１４４とを位置ａｉ〜ｄｉｖに表示する。
【００５６】
　表示画像部分１４１の画素ＶＩが欠陥表示画素によって作成されるので、表示画像部分１４１の表示位置ｂｉｉの画素が不良である。さらに、表示画像部分１４２の画素ＶＩＩが欠陥表示画素によって作成されるので、表示画像部分１４２の表示位置ｂｉｉｉの画素が不良である。さらに、表示画像部分１４３の画素ＸＩが欠陥表示画素によって作成されるので、表示画像部分１４３の表示位置ｃｉｉｉの画素が不良である。さらに、表示画素部分１４４の画素Ｘが欠陥表示画素によって作成されるので、表示画像部分１４４の表示位置ｃｉｉの画素が不良である。
【００５７】
　１つの実施形態において、図１４Ｅに示したように、画像サブフレーム３０１’と３０２’と３０３’と３０４’から作成された表示画像部分１４１と１４２と１４３と１４４とのそれぞれは、それぞれの画像サブフレーム３０のオフセット距離にしたがってシフトされる。より具体的には、表示画像部分１４２と１４３と１４４とのそれぞれは、画像サブフレーム３０２’と３０３’と３０４’との画像データ１６がそれぞれ互いに対してオフセットされる方向とは反対の方向にシフトされる。
【００５８】
　例えば、１つの実施形態において、画像サブフレーム３０２’の画像データ１６は、（図１２Ｂに示すように）画像サブフレーム３０１’の画像データ１６に対して左にシフトされる。したがって、表示画像部分１４２は、位置Ａから位置Ｂに右にずらされる。さらに、画像サブフレーム３０３’の画像データ１６は、（図１２Ｃに示したように）画像サブフレーム３０２’の画像データ１６に対して上にシフトされる。したがって、表示画像部分１４３は、位置Ｂから位置Ｃに下にシフトされる。さらに、画像サブフレーム３０４’の画像データ１６は、（図１２Ｄに示したように）画像サブフレーム３０３’の画像データ１６に対して右にシフトされる。そのように、表示画像部分１４４は、位置Ｃから位置Ｄに左にシフトされる。したがって、画像１２の画像フレーム２８の各画像サブフレーム３０’の画像データ１６の画素Ｉ〜ＸＶＩは、同じ表示位置、すなわち図１４Ａ〜図１４Ｄに示すような表示位置ａｉ〜ｄｉｖに表示される。
【００５９】
　１つの実施形態において、表示装置２６の画像シフタ３８（図１）は、前述のように画像サブフレーム３０’の表示をずらす。より具体的には、画像シフタ３８は、表示画像部分１４２、１４３および１４４を表示画像部分１４１と位置合わせするために、第２の画像サブフレーム３０２’の表示と、第３の画像サブフレーム３０３’の表示と、第４の画像サブフレーム３０４’の表示とを第１の画像サブフレーム３０１’の表示位置にずらす。したがって、画像サブフレーム３０’内の画像データが適切に位置合わせされる。
【００６０】
　図１５に示したように、表示画像部分１４１と１４２と１４３と１４４とのそれぞれは、表示画像１４に寄与する。したがって、各画像サブフレーム３０１’と３０２’と３０３’と３０４’との画像データ１６の画素Ｉ−ＸＶＩは、表示位置ａｉ〜ｄｉｖに寄与する。したがって、各表示位置ａｉ〜ａｉｖは、画像データ１６の対応する画素を表示する。例えば、表示位置ａｉは、ＩA＋ＩB＋ＩC＋ＩDによって表されているように、画像サブフレーム３０１’と３０２’と３０３’と３０４’との画像データ１６の画素Ｉを表示し、ここで、ＩAは画像サブフレーム３０１’の画像データ１６の画素Ｉを表し、ＩBは画像サブフレーム３０２’の画像データ１６の画素Ｉを表し、ＩCは画像サブフレーム３０３’の画像データ１６の画素Ｉを表し、ＩDは画像サブフレーム３０４’の画像データ１６の画素Ｉを表す。
【００６１】
　位置Ｃ３の表示画素７０が欠陥表示画素であるため、第１の画像サブフレーム３０１’の画像データ１６の画素ＶＩが不良であり、第２の画像サブフレーム３０２’の画像データ１６の画素ＶＩＩが不良であり、第３の画像サブフレーム３０３’の画像データ１６の画素ＸＩが不良であり、第４の画像サブフレーム３０４’の画像データ１６の画素Ｘが不良である（図１４Ａ〜図１４Ｄ）。そのように、表示位置ｂｉｉは、ＤA＋ＶＩB＋ＶＩC＋ＶＩDによって表され、表示位置ｂｉｉｉは、ＶＩＩA＋ＤB＋ＶＩＩC＋ＶＩＩDによって表され、表示位置ｃｉｉｉは、ＸＩA＋ＸＩB＋ＤC＋ＸＩDによって表され、表示位置ｃｉｉは、ＸA＋ＸB＋ＸC＋ＤDによって表され、ここで、ＤAとＤBとＤCとＤDとのそれぞれは、第１の画像サブフレーム３０１’と第２の画像サブフレーム３０２’と第３の画像サブフレーム３０３’と第４の画像サブフレーム３０４’からの不良画素を表す。したがって、表示装置２６の位置Ｃ３の欠陥表示画素７２は、表示位置ｂｉｉとｂｉｉｉとｃｉｉｉとｃｉｉとの表示画像１４との各画素のための４つの画素のうちの１つに寄与する。したがって、１つの実施形態において、表示画像の画素への欠陥表示画素の寄与は、１／Ｄになるように分散または拡散され、ここで、Ｄは、欠陥表示画素と接している表示画素の数である。
【００６２】
　表示位置ａｉ〜ａｉｖのそれぞれの表示画像１４の画素が、（例えば、ＩA＋ＩB＋ＩC＋ＩD等の）表示装置２６の４つの個別の表示画素７０によって作成されるので、表示画像１４の画素は、４つの独立した表示画素を平均したものに見える。したがって、表示画像１４の各画素の明るさまたは輝度は、４つの個別の表示画素の平均の明るさまたは輝度を含む。
【００６３】
　１つの実施形態において、前に説明して図１４Ｅに示すように、表示画像部分１４１と１４２と１４３と１４４とを４位置「ボックス」パターンでシフトして表示画像１４を作成するように、４つの画像サブフレーム３０’が作成される。そのように、１つの実施形態において、第２の画像サブフレーム３０２’の画像データ１６は、第１の画像サブフレーム３０１’の画像データ１６からある一定の水平距離だけオフセットされ、第３の画像サブフレーム３０３’の画像データ１６は、第２の画像サブフレーム３０２’の画像データ１６からある一定の垂直距離だけオフセットされ、第４の画像サブフレーム３０４’の画像データ１６は、第３の画像サブフレーム３０３’の画像データ１６からある一定の水平距離だけオフセットされ、水平距離と垂直距離は両方ともｎ画素である。したがって、画像サブフレーム３０’は、それぞれの位置ＡとＢとＣとＤとの間でシフトされる。１つの実施形態において、ｎは整数である。もう１つの実施形態において、ｎは１より大きい非整数である。
【００６４】
　１つの実施形態において、図１６に示すように、表示画像部分１４１と１４２と１４３と１４４とが４位置「蝶ネクタイ」パターンでシフトされるように、４つの画像サブフレーム３０’が作成される。そのように、１つの実施形態において、第２の画像サブフレーム３０２’の画像データ１６が第１の画像サブフレーム３０１’の画像データ１６からある一定の水平距離と垂直距離だけオフセットされ、第３の画像サブフレーム３０３’の画像データ１６が第２の画像サブフレーム３０２’の画像データ１６からある一定の垂直距離だけオフセットされ、第４の画像サブフレーム３０４’の画像データ１６が第３の画像サブフレーム３０３’の画像データ１６からある一定の水平距離と垂直距離だけオフセットされ、水平距離と垂直距離とは両方ともｎ画素である。したがって、画像サブフレーム３０’は、それぞれの位置ＡとＢとＣとＤとの間でシフトされる。１つの実施形態において、ｎは整数である。もう１つの実施形態において、ｎは１より大きい非整数である。
【００６５】
　１つの実施形態において、図１７に示したように、表示画像部分１４１、１４２、１４３および１４４が４位置「スクランブル（scramble）」パターンでシフトされるように、４つの画像サブフレーム３０’が作成される。したがって、１つの実施形態において、第２の画像サブフレーム３０２’の画像データ１６は、第１の画像サブフレーム３０１’の画像データ１６からある一定の水平距離と垂直距離だけオフセットされ、第３の画像サブフレーム３０３’の画像データ１６は、第２の画像サブフレーム３０２’の画像データ１６からある一定の垂直距離だけオフセットされ、第４の画像サブフレーム３０４’の画像データ１６は、第３の画像サブフレーム３０３’の画像データ１６からある一定の水平距離と垂直距離だけオフセットされ、水平距離と垂直距離とは、ｎ画素とｍ画素とをそれぞれ含む。したがって、画像サブフレーム３０’は、それぞれの位置ＡとＢとＣとＤとの間でシフトされる。１つの実施形態において、ｎとｍとは整数であり互いに等しくない。もう１つの実施形態において、ｎとｍとは、それぞれ１より大きい非整数である。
【００６６】
　１つの実施形態において、第１の画像のために第１の画像フレーム２８が作成され、第２の画像のために第２の画像フレーム２８’が作成される。さらに、１つの実施形態において、第１の画像フレーム２８のために第１組の画像サブフレーム３０’が定義され、第２の画像フレーム２８’のために第２組の画像サブフレーム３０''が定義される。第１組の画像サブフレーム３０’と第２組の画像サブフレーム３０''とのそれぞれは、各画像フレームの１つ以上のサブフレームを含む。したがって、第１の画像フレーム２８の第１組の表示画像部分は、第１組の画像サブフレーム３０’によって作成され、第２の画像フレーム２８’の第２組の表示画像部分は、第２組の画像サブフレーム３０によって作成される。１つの実施形態において、第１の画像フレーム２８と第２の画像フレーム２８’とが１つの画像に作成される。したがって、画像データ１６からの画像に複数の画像フレームが作成される。
【００６７】
　１つの実施形態において、図１８に示したように、第１の画像フレーム２８の第１組の表示画像部分が、第１のパターンでシフトされ、第２の画像フレーム２８’の第２組の表示画像部分が、第２のパターンでシフトされる。１つの実施形態において、第２のパターンは、第１のパターンからオフセットされる。さらに、第２のパターンは、第１のパターンと同じでも異なっていてもよい。したがって、第１組の画像サブフレーム３０’を表示するために第１組の表示画素が使用され、第２組の画像サブフレーム３０''を表示するために第２組の表示画素が使用される。
【００６８】
　１つの実施形態において、画像サブフレーム３０’と３０''との各組ごとに、第２の画像サブフレーム３０２’の画像データ１６が、第１の画像サブフレーム３０１’の画像データ１６からある一定の水平距離だけオフセットされ、画像サブフレーム３０’と３０''との各組ごとに、第３の画像サブフレーム３０３’の画像データ１６が、第２の画像サブフレーム３０２’の画像データ１６からある一定の垂直距離だけオフセットされ、画像サブフレーム３０’と３０''との各組ごとに、第４の画像サブフレーム３０４’の画像データ１６が、第３の画像サブフレーム３０３’の画像データ１６からある一定の水平距離だけオフセットされ、この水平距離と垂直距離とは両方ともｎ画素である。このように、画像サブフレーム３０’が、それぞれの位置ＡとＢとＣとＤとの間でシフトされ、画像サブフレーム３０''は、それぞれの位置ＥとＦとＧとＨとの間でシフトされる。１つの実施形態において、ｎは整数である。もう１つの実施形態において、ｎは１より大きい非整数である。
【００６９】
　１つの実施形態において、図１９に示したように、表示画像部分１４１および１４２が２位置水平パターンでシフトされるように、２つの画像サブフレーム３０’が作成される。したがって、第２の画像サブフレーム３０２’の画像データ１６は、第１の画像サブフレーム３０１’の画像データ１６からある一定の水平距離だけオフセットされ、この水平距離はｎ画素を含む。このように、画像サブフレーム３０’は、それぞれの位置ＡとＢとの間でシフトされる。１つの実施形態において、ｎは整数である。もう１つの実施形態において、ｎは１より大きい非整数である。
【００７０】
　１つの実施形態において、図２０に示したように、表示画像部分１４１および１４２が２位置垂直パターンでシフトされるように、２つの画像サブフレーム３０’が作成される。したがって、第２の画像サブフレーム３０２’の画像データ１６は、第１の画像サブフレーム３０１’の画像データ１６からある一定の垂直距離だけオフセットされ、ここで、垂直距離は、ｎ画素を含む。このように、画像サブフレーム３０’は、それぞれの位置ＡとＢとの間でシフトされる。１つの実施形態において、ｎは整数である。もう１つの実施形態において、ｎは１より大きい非整数である。
【００７１】
　１つの実施形態において、図２１に示したように、表示画像部分１４１および１４２が２位置対角線パターンでシフトされるに、２つの画像サブフレーム３０’が作成される。したがって、第２の画像サブフレーム３０２’の画像データ１６は、第１の画像サブフレーム３０１’の画像データ１６からある一定の水平距離および垂直距離だけオフセットされ、ここで、水平距離と垂直距離とは、ｎ画素とｍ画素とをそれぞれ含む。このように、画像サブフレーム３０’は、それぞれの位置ＡとＢとの間でシフトされる。１つの実施形態において、ｎとｍとは整数であり互いに等しい。もう１つの実施形態において、ｎとｍとは整数であり互いに等しくない。もう１つの実施形態において、ｎとｍとはそれぞれ１より大きい非整数である。
【００７２】
　図２２および図２３は、画像表示システム１０による画像処理を行った場合と行わない場合とについて、同じ画像データから作成された拡大画像部分をそれぞれ示す。より具体的には、図２２は、画像表示システム１０による処理を行わずに作成された拡大画像部分を示す。図２２に示したように、拡大画像部分８０は、個々の画素が目に見え易い状態で画素に分解されているように見える。さらに、拡大画像部分８０の解像度は低い。
【００７３】
　図２２に示したように、拡大画像部分８０の２つの画素が、欠陥表示画素によって作成されている。より具体的には、拡大画像部分８０の１つの画素８０１は、画素８０１に対応する表示画素が「オン」状態だけを表すように白く見える。さらに、拡大画像部分８０のもう１つの画素８０２は、画素８０２に対応する表示画素が「オフ」状態を表すように黒く見える。これらの欠陥表示画素の影響は、拡大画像部分８０において目立つ。
【００７４】
　一方、図２３は、前述のように、解像度向上とエラー隠蔽とを含む画像表示システム１０による処理によって作成された拡大画像部分８２を示す。図２３に示したように、拡大画像部分８２は、図２２の拡大画像部分８０よりも画素に分解されていないように見える。したがって、拡大画像部分８２の画像品質は、画像表示システム１０によって高められている。より具体的には、拡大画像部分８２の解像度は、拡大画像部分８０よりも改善されすなわち高められている。
【００７５】
　１つの実例となる実施形態において、拡大画像部分８２は、前述のように、第１のサブフレームと第２のサブフレームと第３のサブフレームと第４のサブフレームとを含む４位置処理によって作成されている。したがって、拡大画像部分８２を作成するためには、拡大画像部分８０を作成するために使用される画素データの量の４倍の量の画素データが使用される。したがって、４位置処理によって、拡大画像部分８２の解像度は、拡大画像部分８０の解像度の２倍すなわち４の平方根だけ高められる。さらに、欠陥表示画素の影響が拡散される。より具体的には、「オン」状態だけを表す表示画素の影響は、４つの画素を含む拡大画像部分８２の領域８２１に分散または拡散され、「オフ」状態だけを表す表示画素の影響は、４つの画素を含む拡大画像部分８２の領域８２２に分散または拡散される。したがって、欠陥表示画素は、拡大画像部分８２では、拡大画像部分８０ほど目立たない。
【００７６】
　１つの実施形態において、拡大画像部分８２の解像度を高めて拡大画像部分８２の欠陥表示画素の影響を拡散させるために、拡大画像部分８２を作成するために使用されるサブフレームが互いに少なくともｎ画素オフセットされ、ここで、ｎは１より大きい非整数である。したがって、サブフレーム間の水平距離および／または垂直距離は、少なくともｎ画素を含み、ここで、ｎは１より大きい非整数である。
【００７７】
　１つの実施形態において、画像表示システム１０は、表示装置２６の欠陥表示画素を補正する。より具体的には、表示装置２６の欠陥表示画素が識別され、表示画像内の欠陥表示画素の位置に対応する画像データ１６が調整される。
【００７８】
　例えば、図１５に示したように、表示位置ｂｉｉは、欠陥表示画素からの寄与を含む。より具体的には、表示画像部分１４１の画素ＶＩは、欠陥表示画素によって作成される。しかしながら、表示位置ｂｉｉは、表示画像部分１４２の画素ＶＩと、表示画像部分１４３の画素ＶＩと、表示画像部分１４４の画素ＶＩとの３つの他の画素からの寄与も含む。したがって、表示位置ｂｉｉは、ＤA＋ＶＩB＋ＶＩC＋ＶＩDによって表現される。
【００７９】
　図１３Ａに示したように、表示画像部分１４１の画素ＶＩは、位置Ｃ３の表示画素によって作成される。したがって、位置Ｃ３の表示画素が欠陥表示画素として識別された場合には、表示位置ｂｉｉの他の画素の画像データが、この欠陥表示画素を補正するために調整される。より具体的には、表示画像部分１４２の画素ＶＩの画像データ、表示画像部分１４３の画素ＶＩの画像データ、および／または、表示画像部分１４４の画素ＶＩの画像データが、表示画像部分１４１の画素ＶＩを補正するために調整される。
【００８０】
　図１３Ｂと図１３Ｃと図１３Ｄとにそれぞれ示すように、表示画像部分１４２の画素ＶＩは、位置Ｃ２の表示画素によって作成され、表示画像部分１４３の画素ＶＩは、位置Ｂ２の表示画素によって作成され、表示画像部分１４４の画素ＶＩは、位置Ｂ３の表示画素によって作成されている。したがって、表示画像部分１４２の画素ＶＩと、表示画像部分１４３の画素ＶＩと、表示画像部分１４４の画素ＶＩとのいずれも、位置Ｃ３の欠陥表示画素による影響も受ける。
【００８１】
　１つの実施形態において、表示装置２６の欠陥表示画素を補償するために、表示画像内の欠陥表示画素の位置に対応する画像データ１６の輝度が、高められ、および／または、低くされる。これにより、表示画像内の欠陥表示画素の影響が小さくなる。表示装置２６の欠陥表示画素は、ユーザ入力、表示装置２６による自己診断入力または検出、外部データ・ソース、および／または、表示装置２６に記憶された情報によって識別される。１つの実施形態において、図１に示すように、表示装置２６の欠陥表示画素の存在が、画像処理ユニット２４と通信される。
【００８２】
　本明細書において、好ましい実施形態を説明するために、特定の実施形態を示して説明してきたが、本発明の範囲を逸脱することなく、同じ目的を達成するように設計された様々な代替および／または等価な実施態様を、示されて説明された特定の実施形態に置換できることが、当業者には理解されよう。化学と機械と電気機械と電気とコンピュータとの業界の当業者は、本発明をきわめて様々な実施形態で実施できることを容易に理解することができるであろう。本出願は、本明細書で説明した好ましい実施形態の任意の適用または変形をカバーするように意図されている。したがって、本発明は、特許請求の範囲およびその等価物のみにより限定されるように意図されていることは明らかである。
【図面の簡単な説明】
【００８３】
【図１】画像表示システムの１つの実施形態を示すブロック図である。
【図２】Ａ〜Ｃは、本発明による画像のフレームを処理して表示する１つの実施形態の概略図である。
【図３】Ａ〜Ｃは、本発明による画像表示システムによって画素を表示する１つの実施形態の概略図である。
【図４】本発明による画像表示システムで処理せずに作成された拡大画像部分の１つの実施形態のシミュレーションの図である。
【図５】本発明による画像表示システムで処理して作成された拡大画像部分の１つの実施形態のシミュレーションの図である。
【図６】Ａ〜Ｅは、本発明による画像のフレームを処理し表示するもう１つの実施形態の概略図である。
【図７】Ａ〜Ｅは、本発明による画像表示システムによって画素を表示する１つの実施形態の概略図である。
【図８】本発明による画像表示システムで処理せずに作成された拡大画像部分のもう１つの実施形態のシミュレーションの図である。
【図９】本発明による画像表示システムで処理して作成された拡大画像部分のもう１つの実施形態のシミュレーションの図である。
【図１０】本発明による表示装置の表示画素の１つの実施形態の概略図である。
【図１１】本発明による画像フレームの画像データの１つの実施形態の概略図である。
【図１２】Ａ〜Ｄは、図１１の画像フレームの画像サブフレームの１つの実施形態の概略図である。
【図１３】Ａ〜Ｄは、図１２Ａ〜図１２Ｄの画像サブフレームによって作成された図１１の画像フレームの表示画像部分の１つの実施形態の概略図である。
【図１４】Ａ〜Ｄは、図１３Ａ〜図１３Ｄの表示画像部分の表示の１つの実施形態の概略図である。Ｅは、図１４Ａ〜図１４Ｄの表示画像部分をシフトする１つの実施形態の概略図である。
【図１５】本発明による画像表示システムによる図１１の画像フレームの画像データの表示の１つの実施形態の概略図である。
【図１６】本発明による画像表示システムによって作成された表示画像の表示画像部分をシフトするもう１つの実施形態の概略図である。
【図１７】本発明による画像表示システムによって作成された表示画像の表示画像部分をシフトするもう１つの実施形態の概略図である。
【図１８】本発明による画像表示システムによって作成された表示画像の表示画像部分をシフトするもう１つの実施形態の概略図である。
【図１９】本発明による画像表示システムによって作成された表示画像の表示画像部分をシフトするもう１つの実施形態の概略図である。
【図２０】本発明による画像表示システムによって作成された表示画像の表示画像部分をシフトするもう１つの実施形態の概略図である。
【図２１】本発明による画像表示システムによって作成された表示画像の表示画像部分をシフトするもう１つの実施形態の概略図である。
【図２２】本発明による画像表示システムで処理せずに作成された拡大画像部分の１つの実施形態のシミュレーションの図である。
【図２３】本発明による解像度向上とエラー隠蔽を含む画像表示システムで処理して作成された拡大画像部分の１つの実施形態のシミュレーションの図である。
【符号の説明】
【００８４】
１２　画像
１６　画像データ
２２　バッファ
２４　画像処理ユニット
２８　フレーム
３８　画像シフタ
９０　光変調器
３０１　第１のサブフレーム
３０２　第２のサブフレーム
【図１】
2004070362.tif 000003
【図２】
2004070362.tif 000004
【図３】
2004070362.tif 000005
【図４】
2004070362.tif 000006
【図５】
2004070362.tif 000007
【図６】
2004070362.tif 000008
【図７】
2004070362.tif 000009
【図８】
2004070362.tif 000010
【図９】
2004070362.tif 000011
【図１０】
2004070362.tif 000012
【図１１】
2004070362.tif 000013
【図１２】
2004070362.tif 000014
【図１３】
2004070362.tif 000015
【図１４】
2004070362.tif 000016
【図１５】
2004070362.tif 000017
【図１６】
2004070362.tif 000018
【図１７】
2004070362.tif 000019
【図１８】
2004070362.tif 000020
【図１９】
2004070362.tif 000021
【図２０】
2004070362.tif 000022
【図２１】
2004070362.tif 000023
【図２２】
2004070362.tif 000024
【図２３】
2004070362.tif 000025